(57)【要約】【課題】文書中の文字列等を容易かつ確実に黒塗りして出力することができる画像形成装置、画像印刷方法、画像印刷プログラム、記録媒体を提供する。【解決手段】原稿の少なくとも一部が第１の色彩によってマーキングされたマーキング原稿を読み取る読取手段と、第１の色彩と第１の色彩とは異なる第２の色彩の指定の入力を受け付ける入力受付手段と、第１の色彩または第２の色彩の色合いの基準となる第３の色彩を記憶する色彩属性記憶手段と、マーキング原稿にマーキングされた第１の色彩を検知する色彩検知手段と、検知した第１の色彩と色彩属性記憶手段に記憶された第３の色彩とに基づいて、マーキング原稿にマーキングされた第１の色彩を第２の色彩に変更する色彩変更手段と、第２の色彩に変更された原稿の一部をマスキングするマスキング手段と、マスキングされたマーキング原稿を印刷する印刷手段と、を備える。【選択図】        図１
2009218836.tif 000002
【特許請求の範囲】
【請求項１】
カラー画像を形成する画像形成装置において、
原稿の少なくとも一部が第１の色彩によってマーキングされたマーキング原稿を読み取る読取手段と、
前記マーキング原稿にマーキングされた前記第１の色彩の指定の入力と前記第１の色彩とは異なる第２の色彩の指定の入力とを受け付ける入力受付手段と、
前記第１の色彩または前記第２の色彩の色合いの基準となる第３の色彩を記憶する色彩属性記憶手段と、
前記入力受付手段が入力を受け付けた前記マーキング原稿にマーキングされた前記第１の色彩を検知する色彩検知手段と、
前記色彩検知手段が検知した前記第１の色彩と前記色彩属性記憶手段に記憶された前記第３の色彩とに基づいて、前記マーキング原稿においてマーキングされた前記第１の色彩を前記入力受付手段が入力を受け付けた前記第２の色彩に変更する色彩変更手段と、
前記色彩変更手段によって前記第２の色彩に変更された前記一部をマスキングするマスキング手段と、
前記マスキング手段によってマスキングされた前記マーキング原稿を印刷する印刷手段と、を備えること、
を特徴とする画像形成装置。
【請求項２】
前記入力受付手段は、前記マーキング原稿にマーキングされた前記第１の色彩の除去の指定の入力をさらに受け付け、
前記色彩変更手段は、前記入力受付手段が前記第１の色彩の指定または／および前記第１の色彩の除去の指定の入力を受け付けたか否かを判定し、前記第１の色彩の指定の入力を受け付けた場合には、前記色彩検知手段が検知した前記第１の色彩と前記色彩属性記憶手段に記憶された前記第３の色彩とに基づいて前記マーキング原稿においてマーキングされた前記第１の色彩を前記第２の色彩に変更し、前記入力受付手段が前記第１の色彩の除去の指定の入力を受けた場合には、前記色彩検知手段が検知した前記第１の色彩と前記色彩属性記憶手段に記憶された前記第３の色彩とに基づいて前記マーキング原稿においてマーキングされた前記第１の色彩を除去すること、
を特徴とする請求項１に記載の画像形成装置。
【請求項３】
前記色彩検知手段は、前記マーキング原稿の所定の位置に付された前記第１の色彩を検知し、
前記色彩変更手段は、前記マーキング原稿においてマーキングされた前記第１の色彩と略同一の色彩が付された部分を特定し、特定した該部分の色彩と前記色彩属性記憶手段に記憶された前記第３の色彩とに基づいて前記マーキング原稿においてマーキングされた前記第１の色彩を前記第２の色彩に変更すること、
を特徴とする請求項１または２に記載の画像形成装置。
【請求項４】
前記マーキング原稿においてマーキングされた前記第１の色彩を変更するか除去するかを示す第１の識別情報を読み取り、読み取った該第１の識別情報に基づいて前記第１の色彩を変更するか除去するか否かを判定する変換判定手段と、をさらに備え、
前記色彩属性記憶手段は、前記変換判定手段が判定した前記第１の色彩と前記第１の識別情報とを関連付けてさらに記憶し、
前記色彩変更手段は、前記色彩検知手段が検知した前記所定の位置に付された前記第１の色彩と前記変換判定手段が判定した前記第１の識別情報と前記色彩属性記憶手段に記憶された前記第３の色彩とに基づいて、前記マーキング原稿においてマーキングされた前記第１の色彩を前記第２の色彩に変更すること、
を特徴とする請求項３に記載の画像形成装置。
【請求項５】
前記読取手段は、前記原稿と、前記原稿とは異なることを示す第２の識別情報と前記原稿の前記一部をマーキングするための前記第１の色彩が付されたシートと、をさらに読み取り、
前記原稿または前記シートのどちらが読み込まれたかを判定し、前記シートが読み込まれたと判定した場合には前記読取手段が読み取った前記シート上の前記第１の色彩の位置を特定するシート判定手段と、をさらに備え、
前記色彩検知手段は、前記シート判定手段が前記シートを読み込んだと判定した場合に前記第１の色彩を検知し、
前記色彩属性記憶手段は、前記色彩検知手段が検知した前記第１の色彩と前記シート判定手段特定した前記第１の色彩の前記シート上の位置とを関連付けてさらに記憶し、
前記色彩変更手段は、前記原稿の前記一部をマーキングする前記第１の色彩と、前記色彩属性記憶手段に記憶された前記第１の色彩の前記シート上の位置と、前記色彩属性記憶手段が記憶した前記第３の色彩とに基づいて、前記第１の色彩が付された前記シート上の位置と略同一の位置の前記原稿上の位置に前記第２の色彩をマーキングすること、
を特徴とする請求項１〜４のいずれか１項に記載の画像形成装置。
【請求項６】
原稿の少なくとも一部を彩る第１の色彩または前記第１の色彩とは異なる第２の色彩の色合いの基準となる第３の色彩を記憶する色彩属性記憶手段を備えたカラー画像を形成する画像形成装置において行われる画像印刷方法であって、
読取手段が、前記第１の色彩によってマーキングされたマーキング原稿を読み取る読取ステップと、
入力受付手段が、前記マーキング原稿にマーキングされた前記第１の色彩の指定の入力と前記第２の色彩の指定の入力とを受け付ける入力受付ステップと、
色彩検知手段が、前記入力受け付け手段が入力を受け付けた前記マーキング原稿にマーキングされた前記第１の色彩を検知する色彩検知ステップと、
色彩変更手段が、前記色彩検知手段が検知した前記第１の色彩と前記色彩属性記憶手段に記憶された前記第３の色彩とに基づいて、前記マーキング原稿においてマーキングされた前記第１の色彩を前記入力受付手段が入力を受け付けた前記第２の色彩に変更する色彩変更ステップと、
マスキング手段が、前記色彩変更手段によって前記第２の色彩に変更された前記一部をマスキングするマスキングステップと、
印刷手段が、前記マスキング手段によってマスキングされた前記マーキング原稿を印刷する印刷ステップと、を備えること、
を特徴とする画像印刷方法。
【請求項７】
請求項６に記載された画像印刷方法をコンピュータに実行させることを特徴とする画像印刷プログラム。
【請求項８】
請求項７に記載の画像印刷プログラムを記録したことを特徴とするコンピュータ読み取り可能な記録媒体。
【発明の詳細な説明】
【技術分野】
【０００１】
本発明は、原稿をマスキング処理する画像形成装置、画像印刷方法、画像印刷プログラム、記録媒体に関するものである。
【背景技術】
【０００２】
近年、事業者等が個人情報を取り扱う場合には、いわゆる個人情報保護法等に則ってその個人情報の開示や使用等を行うことが求められている。具体的には、例えば、行政機関等が住民等からの開示請求に対して書類の一部を開示する場合には、その書類の中で個人情報に該当する箇所を黒く塗りつぶす等の処置を施した上で、開示請求した住民にその書類の内容を開示している。
【０００３】
このような文書の開示を確実かつ容易に行う技術として、例えば、特許文献１には、公開文書の中で非開示とする文字列等を登録しておき、登録した文字列に対して自動的に黒塗りした上で、公開対象となる文書を開示する技術が開示されている。
【０００４】
【特許文献１】特許第３９４５２１５号公報
【発明の開示】
【発明が解決しようとする課題】
【０００５】
しかしながら、特許文献１の技術では、利用者の意図した箇所を非開示とするためには、その公開文書中の非開示とする箇所をあらかじめ登録する必要があり、その操作や設定が煩わしいという問題があった。また、カラー等の色彩が付された文字列等に対しては厳密に黒塗りした文字列等に変換できないという問題があった。
【０００６】
本発明は、上記に鑑みてなされたものであって、文書中の文字列等を容易かつ確実に黒塗りして出力することができる画像形成装置、画像印刷方法、画像印刷プログラム、記録媒体を提供することを目的とする。
【課題を解決するための手段】
【０００７】
上述した課題を解決し、目的を達成するために、請求項１にかかる発明は、カラー画像を形成する画像形成装置において、原稿の少なくとも一部が第１の色彩によってマーキングされたマーキング原稿を読み取る読取手段と、前記マーキング原稿にマーキングされた前記第１の色彩の指定の入力と前記第１の色彩とは異なる第２の色彩の指定の入力とを受け付ける入力受付手段と、前記第１の色彩または前記第２の色彩の色合いの基準となる第３の色彩を記憶する色彩属性記憶手段と、前記入力受付手段が入力を受け付けた前記マーキング原稿にマーキングされた前記第１の色彩を検知する色彩検知手段と、前記色彩検知手段が検知した前記第１の色彩と前記色彩属性記憶手段に記憶された前記第３の色彩とに基づいて、前記マーキング原稿においてマーキングされた前記第１の色彩を前記入力受付手段が入力を受け付けた前記第２の色彩に変更する色彩変更手段と、前記色彩変更手段によって前記第２の色彩に変更された前記一部をマスキングするマスキング手段と、前記マスキング手段によってマスキングされた前記マーキング原稿を印刷する印刷手段と、を備えること、を特徴とする。
【０００８】
また、請求項２にかかる発明は、請求項１にかかる発明において、前記入力受付手段は、前記マーキング原稿にマーキングされた前記第１の色彩の除去の指定の入力をさらに受け付け、前記色彩変更手段は、前記入力受付手段が前記第１の色彩の指定または／および前記第１の色彩の除去の指定の入力を受け付けたか否かを判定し、前記第１の色彩の指定の入力を受け付けた場合には、前記色彩検知手段が検知した前記第１の色彩と前記色彩属性記憶手段に記憶された前記第３の色彩とに基づいて前記マーキング原稿においてマーキングされた前記第１の色彩を前記第２の色彩に変更し、前記入力受付手段が前記第１の色彩の除去の指定の入力を受けた場合には、前記色彩検知手段が検知した前記第１の色彩と前記色彩属性記憶手段に記憶された前記第３の色彩とに基づいて前記マーキング原稿においてマーキングされた前記第１の色彩を除去すること、を特徴とする。
【０００９】
また、請求項３にかかる発明は、請求項１または２にかかる発明において、前記色彩検知手段は、前記マーキング原稿の所定の位置に付された前記第１の色彩を検知し、前記色彩変更手段は、前記マーキング原稿においてマーキングされた前記第１の色彩と略同一の色彩が付された部分を特定し、特定した該部分の色彩と前記色彩属性記憶手段に記憶された前記第３の色彩とに基づいて前記マーキング原稿においてマーキングされた前記第１の色彩を前記第２の色彩に変更すること、を特徴とする。
【００１０】
また、請求項４にかかる発明は、請求項３にかかる発明において、前記マーキング原稿においてマーキングされた前記第１の色彩を変更するか除去するかを示す第１の識別情報を読み取り、読み取った該第１の識別情報に基づいて前記第１の色彩を変更するか除去するか否かを判定する変換判定手段と、をさらに備え、前記色彩属性記憶手段は、前記変換判定手段が判定した前記第１の色彩と前記第１の識別情報とを関連付けてさらに記憶し、前記色彩変更手段は、前記色彩検知手段が検知した前記所定の位置に付された前記第１の色彩と前記変換判定手段が判定した前記第１の識別情報と前記色彩属性記憶手段に記憶された前記第３の色彩とに基づいて、前記マーキング原稿においてマーキングされた前記第１の色彩を前記第２の色彩に変更すること、を特徴とする。
【００１１】
また、請求項５にかかる発明は、請求項１〜４のいずれか１項に記載の発明において、前記読取手段は、前記原稿と、前記原稿とは異なることを示す第２の識別情報と前記原稿の前記一部をマーキングするための前記第１の色彩が付されたシートと、をさらに読み取り、前記原稿または前記シートのどちらが読み込まれたかを判定し、前記シートが読み込まれたと判定した場合には前記読取手段が読み取った前記シート上の前記第１の色彩の位置を特定するシート判定手段と、をさらに備え、前記色彩検知手段は、前記シート判定手段が前記シートを読み込んだと判定した場合に前記第１の色彩を検知し、前記色彩属性記憶手段は、前記色彩検知手段が検知した前記第１の色彩と前記シート判定手段特定した前記第１の色彩の前記シート上の位置とを関連付けてさらに記憶し、前記色彩変更手段は、前記原稿の前記一部をマーキングする前記第１の色彩と、前記色彩属性記憶手段に記憶された前記第１の色彩の前記シート上の位置と、前記色彩属性記憶手段が記憶した前記第３の色彩とに基づいて、前記第１の色彩が付された前記シート上の位置と略同一の位置の前記原稿上の位置に前記第２の色彩をマーキングすること、を特徴とする。
【００１２】
また、請求項６にかかる発明は、原稿の少なくとも一部を彩る第１の色彩または前記第１の色彩とは異なる第２の色彩の色合いの基準となる第３の色彩を記憶する色彩属性記憶手段を備えたカラー画像を形成する画像形成装置において行われる画像印刷方法であって、読取手段が、前記第１の色彩によってマーキングされたマーキング原稿を読み取る読取ステップと、入力受付手段が、前記マーキング原稿にマーキングされた前記第１の色彩の指定の入力と前記第２の色彩の指定の入力とを受け付ける入力受付ステップと、色彩検知手段が、前記入力受け付け手段が入力を受け付けた前記マーキング原稿にマーキングされた前記第１の色彩を検知する色彩検知ステップと、色彩変更手段が、前記色彩検知手段が検知した前記第１の色彩と前記色彩属性記憶手段に記憶された前記第３の色彩とに基づいて、前記マーキング原稿においてマーキングされた前記第１の色彩を前記入力受付手段が入力を受け付けた前記第２の色彩に変更する色彩変更ステップと、マスキング手段が、前記色彩変更手段によって前記第２の色彩に変更された前記一部をマスキングするマスキングステップと、印刷手段が、前記マスキング手段によってマスキングされた前記マーキング原稿を印刷する印刷ステップと、を備えること、を特徴とする。
【００１３】
また、請求項７にかかる発明は、請求項６に記載された発明をコンピュータに実行させることを特徴とする。
【００１４】
また、請求項８にかかる発明は、請求項７に記載された画像印刷プログラムを記録したことを特徴とする。
【発明の効果】
【００１５】
請求項１にかかる発明によれば、カラー画像を形成する画像形成装置において、読取手段が、原稿の少なくとも一部が第１の色彩によってマーキングされたマーキング原稿を読み取り、入力受付手段が、前記マーキング原稿にマーキングされた前記第１の色彩の指定の入力と前記第１の色彩とは異なる第２の色彩の指定の入力とを受け付け、色彩属性記憶手段が、前記第１の色彩または前記第２の色彩の色合いの基準となる第３の色彩を記憶し、色彩検知手段が、前記入力受け付け手段が入力を受け付けた前記マーキング原稿にマーキングされた前記第１の色彩を検知し、色彩変更手段が、前記色彩検知手段が検知した前記第１の色彩と前記色彩属性記憶手段に記憶された前記第３の色彩とに基づいて、前記マーキング原稿においてマーキングされた前記第１の色彩を前記入力受付手段が入力を受け付けた前記第２の色彩に変更し、マスキング手段が、前記色彩変更手段によって前記第２の色彩に変更された前記一部をマスキングし、印刷手段が、前記マスキング手段によってマスキングされた前記マーキング原稿を印刷するので、文書中に色彩が付されている場合であっても、その色彩が付された箇所の文字列等を容易かつ確実に黒塗りして出力することができるという効果を奏する。
【００１６】
また、請求項２にかかる発明によれば、請求項１にかかる発明において、前記入力受付手段は、前記マーキング原稿にマーキングされた前記第１の色彩の除去の指定の入力をさらに受け付け、前記色彩変更手段は、前記入力受付手段が前記第１の色彩の指定または／および前記第１の色彩の除去の指定の入力を受け付けたか否かを判定し、前記第１の色彩の指定の入力を受け付けた場合には、前記色彩検知手段が検知した前記第１の色彩と前記色彩属性記憶手段に記憶された前記第３の色彩とに基づいて前記マーキング原稿においてマーキングされた前記第１の色彩を前記第２の色彩に変更し、前記入力受付手段が前記第１の色彩の除去の指定の入力を受けた場合には、前記色彩検知手段が検知した前記第１の色彩と前記色彩属性記憶手段に記憶された前記第３の色彩とに基づいて前記マーキング原稿においてマーキングされた前記第１の色彩を除去するので、文書中に色彩が付されている場合であっても、その色彩が付された箇所の文字列等を容易かつ確実に黒塗りまたはキャンセルして出力することができるという効果を奏する。
【００１７】
また、請求項３にかかる発明によれば、請求項１または２にかかる発明において、前記色彩検知手段は、前記マーキング原稿の所定の位置に付された前記第１の色彩を検知し、前記色彩変更手段は、前記マーキング原稿においてマーキングされた前記第１の色彩と略同一の色彩が付された部分を特定し、特定した該部分の色彩と前記色彩属性記憶手段に記憶された前記第３の色彩とに基づいて前記マーキング原稿においてマーキングされた前記第１の色彩を前記第２の色彩に変更するので、文書中の複数の箇所に色彩が施されている場合であっても、その色彩が付された箇所の文字列等をより容易かつ確実に黒塗りして出力することができるという効果を奏する。
【００１８】
また、請求項４にかかる発明によれば、請求項３にかかる発明において、変換判定手段が、前記マーキング原稿においてマーキングされた前記第１の色彩を変更するか除去するかを示す第１の識別情報を読み取り、読み取った該第１の識別情報に基づいて前記第１の色彩を変更するか除去するか否かを判定し、前記色彩属性記憶手段が、前記変換判定手段が判定した前記第１の色彩と前記第１の識別情報とを関連付けてさらに記憶し、前記色彩変更手段が、前記色彩検知手段が検知した前記所定の位置に付された前記第１の色彩と前記変換判定手段が判定した前記第１の識別情報と前記色彩属性記憶手段に記憶された前記第３の色彩とに基づいて、前記マーキング原稿においてマーキングされた前記第１の色彩を前記第２の色彩に変更するので、文書中に複数の色彩が施されている場合であっても、その文書をその色彩が付された箇所の文字列等をより容易かつ確実に黒塗りして出力することができるという効果を奏する。
【００１９】
また、請求項５にかかる発明によれば、請求項１〜４のいずれか１項に記載の発明において、前記読取手段は、前記原稿と、前記原稿とは異なることを示す第２の識別情報と前記原稿の前記一部をマーキングするための前記第１の色彩が付されたシートと、をさらに読み取り、シート判定手段が、前記原稿または前記シートのどちらが読み込まれたかを判定し、前記シートが読み込まれたと判定した場合には前記読取手段が読み取った前記シート上の前記第１の色彩の位置を特定し、前記色彩検知手段が、前記シート判定手段が前記シートを読み込んだと判定した場合に前記第１の色彩を検知し、前記色彩属性記憶手段が、前記色彩検知手段が検知した前記第１の色彩と前記シート判定手段特定した前記第１の色彩の前記シート上の位置とを関連付けてさらに記憶し、前記色彩変更手段が、前記原稿の前記一部をマーキングする前記第１の色彩と、前記色彩属性記憶手段に記憶された前記第１の色彩の前記シート上の位置と、前記色彩属性記憶手段が記憶した前記第３の色彩とに基づいて、前記第１の色彩が付された前記シート上の位置と略同一の位置の前記原稿上の位置に前記第２の色彩をマーキングするので、文書中に複数の色彩を施さない場合であっても、その文書を汚すことなく文書中の任意の箇所の文字列等をより容易かつ確実に黒塗りして出力することができるという効果を奏する。
【発明を実施するための最良の形態】
【００２０】
以下に添付図面を参照して、この発明にかかる画像形成装置、画像印刷方法、画像印刷プログラム、記録媒体の最良な実施の形態を詳細に説明する。
【００２１】
本発明の一実施の形態として、画像処理装置をコピー機能、ファクシミリ（ＦＡＸ）機能、印刷機能、スキャナ機能等を一つの筐体に納めたいわゆるＭＦＰ（Multi Function Peripheral）と称される複合機等、印刷機能を備えた装置に適用した例を示す。尚、以下の説明では、画像処理装置を上述の複合機に適用した場合について説明しているが、少なくともこれらの機能を備えるものであれば、複合機以外の装置に対しても適用可能である。
【００２２】
（第１の実施の形態）
図１は、第１の実施の形態にかかる複合機１０００のブロック図である。本図に示すように、複合機１０００は、操作パネル１１０と、スキャナ部１２０と、プリンタ部１３０と、コピー部１４０と、ＦＡＸ部１５０と、エンジン部１６０と、色情報記憶部１７０と、画像記憶部１８０と、色検知部１９０と、色変換部２００と、マスク部２１０と、を含んで構成されている。
【００２３】
操作パネル１１０は、ＬＣＤ（Liquid  Crystal  Display）等のディスプレイから構成され、ユーザからの入力文書に対するスキャン、コピー、プリント、ＦＡＸ等の指示や用紙や部数等の指定の入力を受け付け、あるいは後述するように、入力文書の文字列に施された色彩を黒塗り等に変更するための色彩の指定の入力を受け付ける。
【００２４】
また、操作パネル１１０は、上述した入力文書の文字列に施された色彩を黒塗り等に変更する場合以外にも、その色彩をキャンセルする（すなわち、背景色である白紙に戻す）指定の入力を受け付けることが可能である。
【００２５】
図２は、上述した操作パネル１１０の具体的な画面の例を示す図である。図２に示すように、ユーザは操作パネル１１０に表示された用紙選択や色彩の有無、色彩の変更等を表したボックスをタッチする等して出力文書の設定を行う。尚、図２に示す画面（以下、初期画面と呼ぶ。）では、カラーコピーをする場合に、入力文書中にラインマーカー等で色彩を施した文字列等を黒塗りしてコピーする場合の例を示している。
【００２６】
また、図３は、図２に示す初期画面において、ユーザが入力文書の中でラインマーカー等によって施された色彩の種類を指定する画面（以下、色彩設定画面と呼ぶ。）の例を示す図である。図３に示すように、ユーザは、図２に示す初期画面上で、カラー変換を行うためのボックス等をタッチすると、図３に示す色彩設定画面に切り替えられ、その後、この色彩設定画面で、入力文書中の文字列等に施された色彩を指定すると共に、指定したその色彩に対する変換後の色彩を指定する。尚、図３に示す色彩設定画面では、ユーザは、入力文書中の文字列等に施された色彩がシアン、マゼンダの場合には、出力文書上ではブラックに変換（以下、黒塗り変換と呼ぶ。）する場合の例を示している。
【００２７】
さらに、図４は、図３の色彩設定画面において、ユーザが入力文書に施された色彩及び出色文書に施す色彩の設定を完了した場合に、操作パネル１１０に表示される確認画面の例を示す図である。図４に示すように、ユーザは図３に示す色彩設定画面上で上述した色彩の設定をした後、操作パネル１１０上のＯＫボタンをタッチすると、図４に示す確認画面が表示される。ユーザはこの確認画面を参照して、自らが設定した色彩の内容を確認することができる。
【００２８】
図１に戻り、スキャナ部１２０は、図５に示すような原稿となる入力文書を載置する載置部（不図示）を有し、ユーザによって載置部に載置された原稿の原稿面を、ＣＣＤ（Charge  Coupled  Device）によりスキャンして画像データを取り込むものである。
【００２９】
尚、図５に示すように、原稿となる用紙Ｐ１上に記載された文字列等には、その文字列全体に対してユーザによってあらかじめラインマーカー等によって色彩が施されており、詳細については後述するが、色変換部２００等で行われる処理の中で、ラインマーカーが施された文字列等の色彩は、図６に示すように黒塗り等操作パネル１１０から指定された色彩に変更された上で、用紙Ｐ２として出力される。
【００３０】
プリンタ部１３０は、Ｙ、Ｍ、Ｃ、Ｋの各色のラインヘッドを用いた電子写真方式のレーザプリンタ装置等から構成され、操作パネル１１０からの印刷要求に応じて、スキャナ部１２０がスキャンした画像データから感光体ユニットに潜像を形成し、感光体ユニット上にトナーを付着させる等により画像データを形成する。尚、以下の説明では、上述した電子写真方式のレーザプリンタ装置を前提に説明を行っているが、インクジェット式プリンタ装置等Ｙ、Ｍ、Ｃ、Ｋ各色の色素による印刷技術を用いたプリンタ装置であれば、いずれのプリンタ装置であっても適用可能である。
【００３１】
コピー部１４０は、上述したスキャナ部１２０がスキャンした画像データを、後述するエンジン部１６０等によって出力用紙等の出力媒体に複写するものである。
【００３２】
ＦＡＸ部１５０は、スキャナ部１２０がスキャンした入力文書等の画像データを通信回線（不図示）等の通信網を通じて外部の通信機器に対して送信し、あるいは外部の通信機器から画像データ等を受信するものである。
【００３３】
エンジン部１６０は、転写ドラム、露光装置、プロッタ等の複合機１０００を構成する部品から構成され、後述する制御部２１０からの指示に応じてスキャナ部１２０がスキャンして取り込み、プリンタ部１３０等が形成した画像データの複写や印刷等の処理を行う。
【００３４】
色情報記憶部１７０は、彩度、明度等と共に色彩を構成するための属性の一つである色相、すなわち色彩の色合いを示すデータ（以下、色彩属性情報と呼ぶ。）や、後述するようにマスク部２１０が色彩の変更を行った画像データを２値化するための基準値となる輝度値を記憶するＨＤＤ（ハードディスクドライブ装置）やメモリなどの記憶媒体である。
【００３５】
図７は、上述した色彩属性情報が色情報記憶部１７０に記憶される場合の例を示す図である。図７に示すように、色情報記憶部１７０には、あらかじめ定められた赤、青、緑、黄、白、黒等の異なる色彩の色合いを示すデータ（図７に示す例では、１２種類のデータ）が記憶されている。図７に示す例では、１２種類の色彩属性情報を例に挙げているが、２４種類や３６種類の色彩属性情報を記憶させることも可能である。
【００３６】
画像記憶部１８０は、上述したスキャナ部１２０がスキャンして取り込んだ入力文書の画像データ、あるいは後述する色変換部２００が、入力文書に施された色彩を変更した後の画像データを記憶するＨＤＤ（ハードディスクドライブ装置）やメモリなどの記憶媒体である。後述するように、色検知部１９０、この画像記憶部１８０に記憶された画像データの中に施された色彩を検知し、その後色変換部２００は、上述した色彩属性情報に記憶された色彩属性情報の成分を比較して、入力文書で指定された色彩から出力文書で指定された色彩に変更する。
【００３７】
色検知部１９０は、光学的に色彩を検知するセンサ等から構成され、画像記憶部１８０に記憶された画像データからその画像データに付されている色彩を検知する。
【００３８】
色変換部２００は、色検知部１９０が検知した色彩が、操作パネル１１０上で指定された入力文書中に施された色彩が含まれているか否かを判定する。そして、入力文書中にその色彩が施されていると判定した場合、すなわち画像記憶部１８０に記憶されている画像データに操作パネル１１０上で指定された色彩が含まれていると判定した場合には、その色彩を、色情報記憶部１７０に記憶された色彩属性情報の成分と操作パネル１１０上で指定された出力文書に施す色彩の成分とを比較して、出力文書に施す色彩の成分と略同一の近似する成分の色彩に変更する。
【００３９】
より具体的には、例えば、図３に示す操作パネル１１０において指定された入力文書中に施された色彩であるシアン、マゼンダの指定を色変換部２００が読み取り、読み取ったこれらの色彩が、スキャナ部１２０が読み取って画像記憶部１８０に記憶された画像データに含まれているか否かを判定する。そして、シアン、マゼンダの色彩が、その画像データに含まれていると判定した場合には、読み取ったシアン、マゼンダの各色彩の成分と、色情報記憶部１７０に記憶されている色彩属性情報の成分とを比較し、図３に示す操作パネル１１０に示す出力文書に施す色彩であるブラックの成分となるように、比較したシアン、マゼンダの各色彩を変更する。
【００４０】
また、色変換部２００は、色検知部１９０が検知した色彩が、操作パネル１１０上でキャンセルするように指定された色彩が入力文書中に含まれているか否かを判定する。具体的な判定の方法については、上述した方法と同様に、入力文書中に施された色彩と色情報記憶部１７０に記憶された色彩属性情報の成分を比較し、用紙と同じホワイトの成分となるように比較した入力文書中に施された色彩を変更する、すなわち入力文書中に施された色彩をキャンセルする。
【００４１】
尚、以下の説明では、用紙は白紙であることを前提に説明しているが、色紙の場合には、色検知部１９０が、その色紙の色彩を検知して、色変換部２００が、入力文書中に施された色彩と、色情報記憶部１７０に記憶された色彩属性情報の成分を比較して、その色紙の色彩にあわせて入力文書中に施された色彩を変更することも可能である。
【００４２】
マスク部２１０は、色変換部２００によって変更された出力文書に施す色彩の成分と略同一の成分の色彩を２値化して、その色彩についてマスキングした黒塗り画像データを生成する。例えば、図３に示すように出力文書に施す色彩がブラックである場合には、色情報記憶部１７０が記憶する輝度値を基準として、画像データの２値化を行って黒塗り画像データを生成する。尚、本実施の形態においては、マスク部２１０は、出力文書をマスキングする例として黒塗りの画像データを生成することとしているが、出力文書上に記載された文字列等がマスクされるのであれば、上述した色変換部２００と同様に、例えば、原稿がグレーの色彩を場合であれば、そのグレーに合わせて文字列等をマスキングする等、いずれの色彩を用いて２値化し、マスキングした画像データを生成することとしてもよい。
【００４３】
制御部２２０は、上述したスキャナ部１２０、エンジン部１６０、色検知部１９０、色変換部２００等の各部の動作を制御する。
【００４４】
次に、上述した複合機１０００で行われる実行処理について説明する。尚、以下に説明する例では、ユーザは操作パネル１１０を操作して、１枚の用紙を１部コピーする場合について説明し、用紙Ｐ１にはあらかじめ図５に示すように、ラインマーカー等でシアン、マゼンダの２色の色彩が施されているものとする。尚、この用紙Ｐ１は、不図示の自動原稿送り装置（以下、ＡＤＦ（Auto  Document  Feeder）と呼ぶ。）にセットされた状態となっている。
【００４５】
図８は、ユーザからのコピー操作を受け付けてから、黒塗りされた画像データが印刷される場合の手順を示すフローチャートである。
【００４６】
本図に示すように、操作パネル１１０は、ユーザからのコピーモードの指定を受け付け（ステップＳ８０１）、その後、図３に示すように、操作パネル１１０は、ユーザから色彩の変更対象となる入力文書中にラインマーカー等によって施された色彩の指定を受け付け（ステップＳ８０２）、さらにコピー実行操作の指定を受け付ける（ステップＳ８０３）。
【００４７】
操作パネル１１０によってコピー実行操作の指定が受け付けられると、スキャナ部１２０は、ＡＤＦ上にセットされた原稿である用紙Ｐ１のスキャンを開始し、スキャンした画像データを画像記憶部１８０に記憶させる（ステップＳ８０４）。
【００４８】
その後、色検知部１９０は、画像記憶部１８０に記憶された画像データに施されている色彩を検知する（ステップＳ８０５）。
【００４９】
そして、色検知部１９０によって画像データに施された色彩が検知されると（ステップＳ８０５）、色変換部２００は、操作パネル１１０から指定された色彩が色検知部１９０が検知した色彩に含まれているか否か、すなわち変換対象となる色彩が画像データに含まれているか否かを判定する（ステップＳ８０６）。
【００５０】
そして、色変換部２００は、操作パネル１１０から指定された色彩が色検知部１９０が検知した色彩に含まれていると判定すると（ステップＳ８０６；Ｙｅｓ）、検知した色彩と色情報記憶部１７０に記憶された色彩属性情報の成分、および出力文書に施す色彩であるブラックの成分を比較し、色検知部１９０が検知した色彩（例えば、シアン、マゼンダの各色彩）を、出力文書に施す色彩であるブラックの成分となるように変換する（ステップＳ８０７）。
【００５１】
一方、色変換部２００は、操作パネル１１０から指定された色彩が色検知部１９０が検知した色彩に含まれていないと判定すると（ステップＳ８０６；Ｎｏ）、ステップＳ８０７の処理を行わず、次のステップに進む。
【００５２】
続いて、色変換部２００は、操作パネル１１０から指定された色彩についてキャンセルの指定がされているか否かを判定する（ステップＳ８０８）。そして、操作パネル１１０から指定された色彩についてキャンセルの指定がされていると判定した場合には（ステップＳ８０８；Ｙｅｓ）、検知した色彩と色情報記憶部１７０に記憶された色彩属性情報の成分、および出力文書に施す色彩であるホワイトの成分を比較し、色検知部１９０が検知した色彩（例えば、シアン、マゼンダの各色彩）を、出力文書に施す色彩であるホワイトの成分となるように変更する（ステップＳ８０９）。
【００５３】
そして、色変換部２００は、上述したステップＳ８０４〜Ｓ８０９までの処理を、用紙Ｐ１の最後までこれらの処理を行ったか否かを判定し（ステップＳ８１０）、次のステップＳ８１１に進む。一方、最後まで処理を行っていないと判定した場合には（ステップＳ８１０；Ｎｏ）、ステップＳ８０４に戻り、ステップＳ８０４以降の各処理を行う。
【００５４】
色変換部２００による用紙Ｐ１の全てについてステップＳ８０４〜Ｓ８０９までの処理が終了したと判定すると（ステップＳ８１０；Ｙｅｓ）、マスク部２１０は、色変換部２００が変換し、画像記憶部１８０に記憶した色彩変更後の画像データを読み取って、読み取った画像データに施された色彩の輝度値と色情報記憶部１７０に記憶された輝度値とを比較して画像データについて２値化する処理を行い（ステップＳ８１１)、その後、黒塗り画像データを生成する（ステップＳ８１２）。
【００５５】
色変換部２００によって黒塗り画像データが生成されると、コピー部１４０は、制御部２２０からの指示に従ってエンジン部１６０を介して黒塗り画像データを用紙Ｐ２として印刷出力する（ステップＳ８１３）。
【００５６】
このように、本実施の形態においては、カラー画像を形成する画像形成装置において、スキャナ部１２０が、少なくとも一部が色彩によってマーキングされた用紙Ｐ１を読み取り、操作パネル１１０が、マーキング原稿にマーキングされた第１の色彩の指定の入力とその色彩とは異なる第２の色彩の指定の入力とを受け付け、色情報記憶部１７０が、第１の色彩または第２の色彩の色合いの基準となる第３の色彩を記憶し、色検知部１９０が、操作パネル１１０が入力を受け付けた用紙Ｐ１にマーキングされた第１の色彩を検知し、色変換部２００が、色検知部１９０が検知した第１の色彩と色情報記憶部１７０に記憶された第３の色彩とに基づいて、用紙Ｐ１においてマーキングされた第１の色彩を操作パネル１１０が入力を受け付けた第２の色彩に変更し、マスク部２１０が、色変換部２００によって第２の色彩に変更された一部をマスキングし、プリンタ部１３０が、マスク部２１０によってマスキングされた用紙Ｐ１を印刷するので、文書中に色彩が付されている場合であっても、その色彩が付された箇所の文字列等を容易かつ確実に黒塗りして出力することができる。
【００５７】
また、本実施の形態においては、操作パネル１１０は、用紙Ｐ１にマーキングされた第１の色彩のキャンセルの指定の入力をさらに受け付け、色変換部２００は、操作パネル１１０が第１の色彩の指定または／および第１の色彩のキャンセルの指定の入力を受け付けたか否かを判定し、第１の色彩の指定の入力を受け付けた場合には、色検知部１９０が検知した第１の色彩と色情報記憶部１７０に記憶された第３の色彩とに基づいて用紙Ｐ１においてマーキングされた第１の色彩を第２の色彩に変更し、操作パネル１１０が第１の色彩のキャンセルの指定の入力を受けた場合には、色検知部１９０が検知した第１の色彩と色情報記憶部１７０に記憶された第３の色彩とに基づいて用紙Ｐ１においてマーキングされた第１の色彩を除去するので、文書中に色彩が付されている場合であっても、その色彩が付された箇所の文字列等を容易かつ確実に黒塗りまたはキャンセルして出力することができる。
【００５８】
（第２の実施の形態）
上述した第１の実施の形態においては、ユーザが入力文書中にあらかじめラインマーカー等で色彩を施し、その色彩を検知した上で色相と比較して黒塗り画像を生成して印刷することとした。しかし、文書中に同一の色彩が施されている場合には、繰り返し色彩の変更をすることが煩雑になる場合も存在する。そこで、そのような場合に、あらかじめ文書中に施された色彩を検知し、文書中に同じ色彩が施されている箇所を特定した上で、色彩を変更して黒塗り画像データを印刷する場合について説明する。
【００５９】
図９は、第２の実施の形態にかかる複合機１１００の構成を示すブロック図である。第２の実施の形態にかかる複合機１１００は、第１の実施の形態における色検知部１９０とは異なる色検知部９１０と、第１の実施の形態の色変換部２００とは異なる色変換部９２０とを備えている点で第１の実施の形態にかかる複合機１０００と異なっている。以下の説明では、上述した第１の実施の形態と同一の構成要素には同一の符号を付してその説明を省略している。
【００６０】
色検知部９１０は、スキャナ部１２０が用紙Ｐ３のスキャンを開始すると、図１０に示すように入力文書となる用紙Ｐ３においてあらかじめ定められた位置ｌ１の範囲に施された色彩を検知する。図１０に示す例では、用紙Ｐ３の上部ｌ１の範囲内には、入力文書となる用紙Ｐ３上の変換対象となる色彩Ｒ１およびキャンセル対象となる色彩Ｒ２が施されている例である。以下の説明では、これらのＲ１やＲ２を施す位置については、あらかじめ不図示のメモリ等に記憶され、色検知部９１０は、記憶されたその位置に施された色彩を検知する。
【００６１】
また、色変換部９２０は、色検知部９１０による用紙Ｐ３上の上部の色彩Ｒ１またはＲ２が検知され、スキャンされた入力文書である用紙Ｐ３の画像データが画像記憶部１８０に記憶されると、色検知部９１０が検知した色彩Ｒ１またはＲ２が画像記憶部１８０に記憶した画像データに存在するか否かを検索して判定する。そして、色検知部９１０が検知した色彩Ｒ１またはＲ２が画像記憶部１８０に記憶した画像データに存在すると判定した場合には、Ｒ１またはＲ２が存在する位置を特定し、その位置を後述する色情報記憶部９３０に記憶し、記憶した色彩Ｒ１、Ｒ２が存在するその位置に含まれている文字列等の色彩をＲ１に変更するか、またはＲ２をキャンセルする。
【００６２】
色情報記憶部９３０は、第１の実施の形態における色情報記憶部１７０が記憶する内容のほか、上述した色変換部９２０が特定した色彩Ｒ１またはＲ２の画像データ上の位置を記憶する。具体的には、例えば、図１０に示すように、用紙Ｐ３の左上端の位置を原点とした座標軸において、右方及び下方を正とした場合の座標を記憶する。
【００６３】
続いて、第２の実施の形態における複合機１１００で行われる実行処理について説明する。第２の実施の形態にかかる複合機１１００は、第１の実施の形態にかかる複合機１０００における処理と比べて、入力文書に施された色彩をスキャンして色彩を変換またはキャンセルする部分色検知部９１０、色変換部９２０についての処理のみが異なる。そこで、図１１を用いてこれらの処理について説明するが、これら以外の処理については、第１の実施の形態にかかる処理と同じ処理内容であるため、第１の実施の形態にかかる処理と同一の処理（ステップＳ８０１〜Ｓ８０３、Ｓ８０４、Ｓ８１０〜Ｓ８１２）については、同一の符号を付してその説明を省略している。
【００６４】
図１１のステップＳ８０３において、コピー実行操作が受け付けられると、色検知部９１０は、スキャンされた画像データの上部（図１０に示すｌ１部分）に記載された色彩（図１０に示すＲ１及びＲ２）を検知する（ステップＳ１１０１）。
【００６５】
その後、色変換部９２０は、色検知部９１０が検知した色彩Ｒ１が画像記憶部１８０に記憶した画像データに存在するか否かを検索して判定し（ステップＳ１１０２）、さらにＲ１またはＲ２が存在する位置を特定して後述する色情報記憶部９３０に記憶する（ステップＳ１１０３）。
【００６６】
さらに、ステップＳ１１０２〜Ｓ１１０３の場合と同様に、色変換部９２０は、色検知部９１０が検知した色彩Ｒ２が画像記憶部１８０に記憶した画像データに存在するか否かを検索して判定し（ステップＳ１１０４）、さらにＲ２が存在する位置を特定して後述する色情報記憶部９３０に記憶する（ステップＳ１１０５）。
【００６７】
そして、ステップＳ１１０５に処理が終了し、Ｒ１またはＲ２の位置が特定されると（ステップＳ１１０２〜Ｓ１１０５）、色変換部２００は、検知した色彩と色情報記憶部９３０に記憶された色彩属性情報の成分、および出力文書に施す色彩であるブラックの成分を比較し、色検知部９１０が検知した色彩（例えば、図１０に示すＲ１、Ｒ２の色彩）を、出力文書に施す色彩であるブラックの成分となるように変換するか色彩の指定をキャンセルする（ステップＳ１１０６）。
【００６８】
尚、ステップＳ１１０２において色検知部９１０が検知した色彩Ｒ１が画像記憶部１８０に記憶した画像データに存在しないと判定した場合（ステップＳ１１０２；Ｎｏ）、またはステップＳ１１０５において色検知部９１０が検知した色彩Ｒ２が画像記憶部１８０に記憶した画像データに存在しないと判定した場合（ステップＳ１１０５；Ｎｏ）には、何も処理を行わず、次のステップに進む。
【００６９】
このように、本実施の形態においては、色検知部９１０は、用紙Ｐ３の所定の位置ｌ１に付された前記第１の色彩を検知し、色変換部９２０は、用紙Ｐ３においてマーキングされた第１の色彩と略同一の色彩が付された部分を特定し、特定した部分の色彩と色彩属性記憶部９３０に記憶された第３の色彩とに基づいて用紙Ｐ３においてマーキングされた第１の色彩を第２の色彩に変更するので、文書中の複数の箇所に色彩が施されている場合であっても、その色彩が付された箇所の文字列等をより容易かつ確実に黒塗りして出力することができる。
【００７０】
（第３の実施の形態）
上述した第２の実施の形態においては、ユーザが入力文書中の所定の位置にあらかじめラインマーカー等で色彩を施してその色彩を検知し、検知した色彩が施されている位置を記憶した上で、色相である色彩属性情報と比較して黒塗り画像を生成して印刷することとした。しかし、文書中の所定の位置に変更あるいはキャンセル対象となる色彩を施した場合には、用紙自体が汚れてしまい、繰り返し使用できない場合も存在する。そこで、そのような場合に、あらかじめ文書中に付箋紙等を添付しておき、添付された付箋紙の色彩および、その付箋紙にきさいされた記号を検知して、色彩の変更またはキャンセルをする場合について説明する。
【００７１】
図１２は、第３の実施の形態にかかる複合機１２００の構成を示すブロック図である。第３の実施の形態にかかる複合機１２００は、第２の実施の形態における色検知部９１０とは異なる色検知部１２３０と、第１の実施の形態の色情報記憶部９３０とは異なる色情報記憶部１２５０と、色変換部１２４０と、変換判定部１２１０と、変換記憶部１２２０と、を備えている点で第１の実施の形態にかかる複合機１０００と異なっている。以下の説明では、上述した第２の実施の形態と同一の構成要素には同一の符号を付してその説明を省略している。
【００７２】
色検知部１２３０は、スキャナ部１２０が用紙Ｐ４のスキャンを開始すると、図１３に示すように入力文書となる用紙Ｐ４においてあらかじめ定められた位置ｌ３の範囲に施された色彩を検知する。図１３に示す例では、用紙Ｐ４の上部ｌ３の範囲内に、入力文書となる用紙Ｐ４上の変換対象となる色彩の付箋紙Ｔ１およびキャンセル対象となる色彩の付箋紙Ｔ２が付されている例である。以下の説明では、これらの付箋紙Ｔ１、Ｔ２が付される範囲ｌ３については、あらかじめ不図示のメモリ等に記憶され、色検知部１２３０は、記憶されたその位置に施された色彩を検知する。
【００７３】
変換判定部１２１０は、スキャナ部１２０によってスキャンされて画像記憶部１８０に記憶された画像データの中から、図１３に示すように付箋紙Ｔ１またはＴ２に記載された記号等の識別情報（例えば、○印や×印といった記号等）を読み取って、付箋紙Ｔ１またはＴ２の色彩を変換するか、またはキャンセルするかのいずれであるかを判定し、色検知部１２３０が記憶した付箋紙Ｔ１またはＴ２の色彩と、色彩を変換するか、またはキャンセルするかのいずれであるかを示す識別情報とを関連付けて色情報記憶部１２５０に記憶する。尚、この識別情報は、後述するようにユーザ等によって変換記憶部１２２０にあらかじめ記憶されている。
【００７４】
色変換部１２４０は、第２の実施の形態における色変換部９２０と同様の処理を行うほか、色検知部１２３０が検知した色彩と色情報記憶部１２５０に記憶された色彩属性情報の成分、および出力文書に施す色彩であるブラックの成分を比較し、検知した色彩を、出力文書に施す色彩であるブラックの成分となるように変換するか色彩の指定をキャンセルする等の処理を行った後、スキャンされた画像データ上の付箋紙Ｔ１、Ｔ２の色彩データを削除して、付箋紙Ｔ１、Ｔ２のない形の用紙Ｐ４についての画像データを生成する。
【００７５】
変換記憶部１２２０は、上述した付箋紙Ｔ１またはＴ２に記載された識別情報の種類を記憶するＨＤＤ（ハードディスクドライブ）等やメモリ等の記憶媒体である。
【００７６】
色情報記憶部１２５０は、第２の実施の形態における色情報９３０に記憶する内容のほか、上述した変換判定部１２１０が判定した付箋紙Ｔ１またはＴ２の色彩を変換するか、またはキャンセルするかのいずれであるかを、その色彩に関連付けて記憶するＨＤＤ（ハードディスクドライブ）等やメモリ等の記憶媒体である。
【００７７】
続いて、第３の実施の形態における複合機１２００で行われる実行処理について説明する。第３の実施の形態にかかる複合機１２００は、第２の実施の形態にかかる複合機１１００における処理と比べて、入力文書に付された付箋紙Ｔ１、Ｔ２の色彩をスキャンして、さらにその色彩を変換またはキャンセルする変換判定部１２１０や、変換するための識別情報が記憶された変換記憶部１２２０、変換判定部１２１０が行った判定結果を色情報記憶部１２５０が記憶する処理のみが異なる。そこで、図１４を用いてこれらの処理について説明するが、これら以外の処理については、第２の実施の形態にかかる処理と同じ処理内容であるため、第１の実施の形態にかかる処理と同一の処理（ステップＳ８０１〜Ｓ８０３、Ｓ８０４、Ｓ１１０２〜Ｓ１１０６、Ｓ８１０〜Ｓ８１２）については、同一の符号を付してその説明を省略している。
【００７８】
図１４のステップＳ８０３において、コピー操作の実行指示が受け付けられると、色検知部１２４０は、スキャンされた画像データの下部（図１３に示すｌ３部分）に付された付箋紙Ｔ１、Ｔ２の色彩を検知する（ステップＳ１１０１）。
【００７９】
続いて、変換判定部１２１０は、用紙Ｐ４下部のｌ３に示す範囲に、付箋紙Ｔ１またはＴ２の色彩を変換するか、またはキャンセルするかのいずれであるかを示す識別情報を読み取り（ステップＳ１４０１）、ステップＳ１４０１で検知した色彩とステップＳ１４０２で読み取った識別情報を関連付けて色情報記憶部１２５０に記憶し（ステップＳ１４０２）、その色彩が変換するものかキャンセルするものかを判定する（ステップＳ１４０３）。
【００８０】
その後、ステップＳ１１０２以降、第２の実施の形態における処理を行い、ステップＳ１１０６における処理が終了すると、変換判定部１２１０は、ステップＳ８０４でスキャンされた画像データ上の付箋紙Ｔ１、Ｔ２の色彩データを削除して、付箋紙Ｔ１、Ｔ２のない形の用紙Ｐ４についての画像データを生成する（ステップＳ１４０４）。
【００８１】
このように、本実施の形態においては、変換判定部１２１０が、用紙Ｐ４においてマーキングされた第１の色彩を変更するかキャンセルするかを示す第１の識別情報を読み取り、読み取った第１の識別情報に基づいて第１の色彩を変更するかキャンセルするか否かを判定し、色情報記憶部１２５０が、変換判定部１２１０が判定した第１の色彩と第１の識別情報とを関連付けてさらに記憶し、色変換部１２４０が、色検知部１２３０が検知した所定の位置に付された第１の色彩と変換判定部１２１０が判定した第１の識別情報と色情報記憶部１２５０に記憶された第３の色彩とに基づいて、用紙Ｐ４においてマーキングされた第１の色彩を第２の色彩に変更するので、文書中に複数の色彩が施されている場合であっても、その文書をその色彩が付された箇所の文字列等をより容易かつ確実に黒塗りして出力することができる。
【００８２】
（第４の実施の形態）
上述した第１〜３の実施の形態においては、入力文書に対して施された色彩あるいは付箋紙等に付された色彩自体を変換して黒塗り画像データを生成し、生成した黒塗り画像データを印刷することとした。しかし、入力文書が重要書類である等、入力文書を汚すことができない場合や、入力文書の用紙全体に亘って文字等が書かれており、付箋紙等も付すことができない場合も存在する。そこで、そのような場合であっても、入力文書の文字列等を黒塗り画像データに変換して印刷する場合について説明する。
【００８３】
図１５は、第４の実施の形態にかかる複合機１３００の構成を示すブロック図である。第４の実施の形態にかかる複合機１３００は、第３の実施の形態における色情報記憶部１２５０とは異なる色情報記憶部１５１０と、第３の実施の形態の色検知部１２３０とは異なる色検知部１５２０、第３の実施の形態の色変換部１２４０とは異なる色変換部１５３０と、シート判定部１５４０と、を備えている点で第３の実施の形態にかかる複合機１２００と異なっている。以下の説明では、上述した第３の実施の形態と同一の構成要素には同一の符号を付してその説明を省略している。
【００８４】
色情報記憶部１５１０は、後述するように、第３の実施の形態にかかる色情報記憶部１２５０に内容を記憶するほか、入力文書と共にスキャナ部１２０に読み取られる図１６に示すような透明なシートＳの上部ｌ４の範囲に記載されたシートＳと入力文書を区別するためのマークの種類、シートＳ上に施された色彩ｃ１〜ｃ３の位置情報を記憶するＨＤＤ（ハードディスクドライブ）やメモリ等の記憶媒体である。尚、位置情報に関する座標軸や位置の定め方については第１〜３の実施の形態と同様であるため、ここでの説明は省略する。
【００８５】
色検知部１５２０は、第１〜３の実施の形態と同様の処理を行うほか、スキャナ部１２０がシートＳのスキャンを開始すると、図１６に示すようなシートＳ上に施された色彩を検知する。図１６に示す例では、シートＳ上に色彩ｃ１〜ｃ３が付されている例である。
【００８６】
色変換部１５３０は、第１〜３の実施の形態と同様の処理を行うほか、後述するシート判定部１５４０がシートＳ上に施された色彩及びその位置を読み取って色情報記憶部１５１０に記憶された色彩および位置情報を読み取り、入力文書中に含まれる色彩と略同一の色彩の成分を、色情報記憶部１５１０が記憶する色彩属性情報の成分を比較する等して色彩を変換する処理を行う。詳細な処理の内容については、第１〜３の実施の形態における色変換部と同様であるので、ここではその説明を省略する。
【００８７】
シート判定部１５４０は、スキャナ部１２０がスキャンしたものがシートＳであるか入力文書であるか否かを判定する。具体的には、図１６に示すように、シートＳの上部ｌ４に記された上述したマークを読み取ることによって、シートＳであるか入力文書であるか否かを判定する。そして、シート判定部１５４０は、シートＳであると判定した場合には、さらにそのシートに施されている色彩とその位置を読み取って、その色彩と位置情報とを関連付けて色情報記憶部１５１０に記憶させる。
【００８８】
続いて、第４の実施の形態における複合機１３００で行われる実行処理について説明する。第４の実施の形態にかかる複合機１３００は、第３の実施の形態にかかる複合機１２００における処理と比べて、シートＳをスキャンして、色彩とその色彩の位置情報を記憶するシート判定部１５４０が行う処理、ソノシート判定部１５４０が色情報記憶部１５１０に記憶させる情報の種類等に関する部分のみが異なる。そこで、図１７を用いてこれらの処理について説明するが、これら以外の処理については、第３の実施の形態にかかる処理と同じ処理内容であるため、第３の実施の形態にかかる処理と同一の処理（ステップＳ８０１〜Ｓ８０３、Ｓ８０４、Ｓ１１０２〜Ｓ１１０６、Ｓ８１０〜Ｓ８１２、Ｓ１４０１〜Ｓ１４０４）については、同一の符号を付してその説明を省略している。
【００８９】
図１７のステップＳ８０３において、コピー実行操作の指示が受け付けられると、シート判定部１５４０は、スキャンしたものがシートＳであるか入力文書であるか否かを、判定する。具体的には、図１６に示すように所定の位置（ｌ４）にマークが付されているか否かによってシートＳであるか入力文書であるかを判定する（ステップＳ１７０１）。
【００９０】
シート判定部１５４０が、スキャナ部１２０がスキャンしたものがシートＳであると判定した場合（ステップＳ１７０１；Ｙｅｓ）、以降、図１４に示す各処理を行い、黒塗り画像データを生成し、生成した黒塗り画像データを印刷して処理を終了する。
【００９１】
尚、詳細な説明については省略するが、上述した第１〜４の実施の形態の場合だけでなく、これらを組み合わせた形態で黒塗り画像データを生成し、印刷することも可能である。
【００９２】
図１８は、第３の実施の形態と第４の実施の形態とを組み合わせた場合の複合機のブロック図である。各処理部は上述した第３または第４の実施の形態を内容と同一であり、図１９に示すように、シートＳ’のｌ５に示す範囲には施された色彩と共に、その色彩を変更するかキャンセルするかを示す識別情報が記されており、図示しないが、第３の実施の形態と第４の実施の形態と同様に、シートＳ’に施された色彩とその色彩に記された識別情報を読み取って、各色彩を変更して黒塗り画像データを生成し、印刷する各処理を行うことも可能である。
【００９３】
このように、本実施の形態においては、スキャナ部１２０が、原稿と、原稿とは異なることを示す第２の識別情報と原稿の一部をマーキングするための第１の色彩が付されたシートＳやＳ’と、をさらに読み取り、シート判定部１５４０が、原稿またはシートＳやＳ’のどちらが読み込まれたかを判定し、シートＳやＳ’が読み込まれたと判定した場合にはスキャナ部１２０が読み取ったシートＳやＳ’上の第１の色彩の位置を特定し、色検知部１５２０が、シート判定部１５４０がシートＳやＳ’を読み込んだと判定した場合に第１の色彩を検知し、色情報記憶部１５１０が、色検知部１５２０が検知した第１の色彩とシート判定部１５４０が特定した第１の色彩のシートＳやＳ’上の位置とを関連付けてさらに記憶し、色変換部１５３０が、原稿の一部をマーキングする第１の色彩と、色情報記憶部１５１０に記憶された第１の色彩のシートＳやＳ’上の位置と、色情報記憶部１５１０が記憶した第３の色彩とに基づいて、第１の色彩が付されたシートＳやＳ’上の位置と略同一の位置の原稿上の位置に第２の色彩をマーキングするので、文書中に複数の色彩を施さない場合であっても、その文書を汚すことなく文書中の任意の箇所の文字列等をより容易かつ確実に黒塗りして出力することができる。
【００９４】
図２０は、第１〜４の実施の形態にかかる複合機のハードウェア構成を示すブロック図である。本図に示すように、この複合機１１００〜１４００は、コントローラ１０とエンジン部（Engine）６０とをＰＣＩ（Peripheral Component Interconnect）バスで接続した構成となる。コントローラ１０は、複合機１０００、２０００全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００９５】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂとをさらに有する。
【００９６】
ＣＰＵ１１は、複合機１１００〜１４００の全体制御をおこなうものであり、ＮＢ１３、ＭＥＭ−Ｐ１２およびＳＢ１４からなるチップセットを有し、このチップセットを介して他の機器と接続される。
【００９７】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００９８】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００９９】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【０１００】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。操作表示部２０はＡＳＩＣ１６に直接接続されている。
【０１０１】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【０１０２】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【０１０３】
なお、本実施の形態の複合機１１００〜１４００で実行されるプログラムは、ＲＯＭ等に予め組み込まれて提供される。本実施の形態の複合機１１００〜１３００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【０１０４】
さらに、本実施の形態の複合機１１００〜１４００で実行されるプログラムを、インターネット等のネットワークに接続されたコンピュータ上に格納し、ネットワーク経由でダウンロードさせることにより提供するように構成してもよい。また、本実施形態の複合機１１００〜１３００で実行されるプログラムをインターネット等のネットワーク経由で提供または配布するように構成してもよい。
【０１０５】
本実施の形態の複合機１１００〜１４００で実行されるプログラムは、上述した各部（色検知部、色変換部、シート判定部等）を含むモジュール構成となっており、実際のハードウェアとしてはＣＰＵ（プロセッサ）が上記ＲＯＭからプログラムを読み出して実行することにより上記各部が主記憶装置上にロードされ、色検知部、色変換部、シート判定部等が主記憶装置上に生成されるようになっている。
【０１０６】
なお、上述した実施の形態では、複合機を一例として説明したが、本発明は複合機に限る必要はなく、コピー機、ファクシミリ、プリンタを含む様々な装置に適用することができる。
【産業上の利用可能性】
【０１０７】
以上のように、本発明にかかる画像形成装置、画像印刷方法、画像印刷プログラム、記録媒体は、カラー画像を形成する画像形成装置において黒塗り画像を形成して印刷する処理を行う際に有用であり、特に、マスキング等の処理を施した画像を形成する技術に適している。
【図面の簡単な説明】
【０１０８】
【図１】第１の実施の形態にかかる複合機の構成を示すブロック図である。
【図２】第１の実施の形態にかかる複合機の操作パネルの例を示す図である。
【図３】図２に示す操作パネルにおいてカラー変換する場合の画面の例を示す図である。
【図４】図３に示す操作パネルにおいてカラー変換した結果を表示する場合の画面の例を示す図である。
【図５】第１の実施の形態にかかる複合機において処理の対象となる入力文書の例を示す図である。
【図６】第１の実施の形態にかかる複合機において処理の対象となる出色文書の例を示す図である。
【図７】第１の実施の形態にかかる色情報記憶部が記憶する色相の例を示す図である。
【図８】第１の実施の形態にかかる複合機において黒塗り画像データを印刷するまでの実行手順を示すフローチャートである。
【図９】第２の実施の形態にかかる複合機の構成を示すブロック図である。
【図１０】第２の実施の形態にかかる複合機において処理の対象となる入力文書の例を示す図である。
【図１１】第２の実施の形態にかかる複合機において黒塗り画像データを印刷するまでの実行手順を示すフローチャートである。
【図１２】第３の実施の形態にかかる複合機の構成を示すブロック図である。
【図１３】第３の実施の形態にかかる複合機において処理の対象となる入力文書の例を示す図である。
【図１４】第３の実施の形態にかかる複合機において黒塗り画像データを印刷するまでの実行手順を示すフローチャートである。
【図１５】第４の実施の形態にかかる複合機の構成を示すブロック図である。
【図１６】第４の実施の形態にかかる複合機において処理の対象となる入力文書とともに読み取られるシートの例を示す図である。
【図１７】第４の実施の形態にかかる複合機において黒塗り画像データを印刷するまでの実行手順を示すフローチャートである。
【図１８】第４の実施の形態にかかる複合機の構成の変形例を示すブロック図である。
【図１９】第４の実施の形態にかかる複合機において処理の対象となる入力文書とともに読み取られるシートの変形例を示す図である。
【図２０】第１〜第４の実施の形態にかかる複合機のハードウェア構成を示す図である。
【符号の説明】
【０１０９】
１０００  １１００  １２００  １３００  １４００  複合機
１１０    操作パネル
１２０    スキャナ部
１３０    プリンタ部
１４０    コピー部
１５０    ＦＡＸ部
１６０    エンジン部
１７０  ９３０  １５１０  色情報記憶部
１８０    画像記憶部
１９０  ９１０  １２３０  １５２０  色検知部
２００  ９２０  １２４０  １５３０  色変換部
２１０    マスク部
２２０    制御部
１２１０    変換判定部
１２２０    変換記憶部
１２５０    色情報記憶部
１５４０    シート判定部
Ｐ１  Ｐ２  Ｐ３  Ｐ４  用紙
Ｓ    シート
Ｔ１  Ｔ２  付箋紙
【図１】
2009218836.tif 000003
【図２】
2009218836.tif 000004
【図３】
2009218836.tif 000005
【図４】
2009218836.tif 000006
【図５】
2009218836.tif 000007
【図６】
2009218836.tif 000008
【図７】
2009218836.tif 000009
【図８】
2009218836.tif 000010
【図９】
2009218836.tif 000011
【図１０】
2009218836.tif 000012
【図１１】
2009218836.tif 000013
【図１２】
2009218836.tif 000014
【図１３】
2009218836.tif 000015
【図１４】
2009218836.tif 000016
【図１５】
2009218836.tif 000017
【図１６】
2009218836.tif 000018
【図１７】
2009218836.tif 000019
【図１８】
2009218836.tif 000020
【図１９】
2009218836.tif 000021
【図２０】
2009218836.tif 000022